(57)【要約】本発明は、グループ・ページング・メッセージを提供する方法を提供する。この方法の一実施形態は、所定の時間周期の第１の部分の間に第１のメッセージを提供することを含む。第１のメッセージは、少なくとも１つのアイドル状態の第１の移動機がウェイクアップして、（１つまたは複数の）基地局から第２のメッセージを受信しようと試みるべきである所定の時間周期の第２の部分を示す情報を含んでいる。この方法のこの実施形態はまた、所定の時間周期の第３の部分の間に第３のメッセージを提供することを含む。第３のメッセージは、少なくとも１つのアイドル状態の第２の移動機がウェイクアップして第２のメッセージを受信しようと試みるべきである所定の時間周期の第２の部分を示す情報を含んでいる。所定の時間周期の第３の部分は、第１の部分とは異なる。
2010522478.tif 000002
【特許請求の範囲】
【請求項１】
少なくとも１つの基地局からエアインタフェースを通じて、所定の時間周期の第１の部分の間に第１のメッセージを提供するステップであって、前記第１のメッセージが、少なくとも１つのアイドル状態の第１の移動機がウェイクアップして前記少なくとも１つの基地局から第２のメッセージを受信しようと試みるべきである前記所定の時間周期の第２の部分を示す情報を含むステップと、
前記少なくとも１つの基地局から前記エアインタフェースを通じて、前記所定の時間周期の第３の部分の間に第３のメッセージを提供するステップであって、前記第３のメッセージが、少なくとも１つのアイドル状態の第２の移動機がウェイクアップして前記第２のメッセージを受信しようと試みるべきである前記所定の時間周期の前記第２の部分を示す情報を含み、前記所定の時間周期の前記第３の部分は前記第１の部分とは異なるステップと
を含む、方法。
【請求項２】
前記第１のメッセージを提供するステップが、前記少なくとも１つの第１の移動機および少なくとも１つのアイドル状態の第２の移動機と関連するウェイクアップ・サイクルの第１の制御サイクルの一部分の間に前記第１のメッセージを提供するステップを含む、請求項１に記載の方法。
【請求項３】
前記所定の時間周期の前記第２の部分を示す情報を含む前記第１のメッセージを提供するステップが、前記少なくとも１つのアイドル状態の第１の移動機が前記第１の制御サイクルに続く前記ウェイクアップ・サイクルの中の前記制御サイクルに対してウェイクアップすべきであることを示す情報、または前記少なくとも１つのアイドル状態の第１の移動機が前記ウェイクアップ・サイクルの少なくとも１つの第２の制御サイクルの間にウェイクアップすべきであることを示す情報を含む第１のメッセージを提供するステップを含む、請求項２に記載の方法。
【請求項４】
前記第３のメッセージを提供するステップが、前記少なくとも１つの第１の移動機および少なくとも１つのアイドル状態の第２の移動機と関連する前記ウェイクアップ・サイクルの第３の制御サイクルの一部分の間に前記第３のメッセージを提供するステップを含み、前記第３のメッセージが、前記少なくとも１つのアイドル状態の第２の移動機が前記第３の制御サイクルに続く前記ウェイクアップ・サイクルの中の前記制御サイクルに対してウェイクアップすべきであることを示す情報、または前記少なくとも１つのアイドル状態の第２の移動機が前記ウェイクアップ・サイクルの少なくとも１つの第２の制御サイクルの間にウェイクアップすべきであることを示す情報を含む、請求項２に記載の方法。
【請求項５】
前記所定の時間周期の前記第２の部分の間に前記少なくとも１つの第１の移動機および少なくとも１つの第２の移動機に前記第２のメッセージをマルチキャストするステップを含み、前記第２のメッセージをマルチキャストするステップが、データ・コンテンツを伝送するためのマルチキャスト・データのメッセージ・タイプを選択するステップまたはシグナリング・コンテンツを伝送するためにマルチキャスト・シグナリングのメッセージ・タイプを選択するステップを含む、請求項１に記載の方法。
【請求項６】
前記第２のメッセージをマルチキャストするステップが、
前記第２のメッセージと関連するフロー識別子をコンテンツ提供業者から受信するステップと、
前記少なくとも１つの第１の移動機および前記少なくとも１つの第２の移動機が、前記フロー識別子に基づいて前記第２のメッセージを受信する資格を有することを判断するステップと、
前記フロー識別子を認証、認可、および課金（ＡＡＡ）サーバに提供するステップと、
前記少なくとも１つの第１の移動機および前記少なくとも１つの第２の移動機が適格であるという指示を前記ＡＡＡサーバから受信するステップであって、前記ＡＡＡサーバが前記少なくとも１つの第１の移動機および前記少なくとも１つの第２の移動機と関連するユーザ・プロファイルに基づいて適格性を判断するステップと、
前記フロー識別子を前記グループと関連する前記識別子にマップするステップと、
前記グループに前記識別子を示す情報を提供して、前記グループの中の移動機が前記識別子使用して前記マルチキャスト・メッセージにアクセスすることができるようにするステップと
前記少なくとも１つの第１の移動機および前記少なくとも１つの第２の移動機を含むグループと関連する識別子を含む前記第２のメッセージをマルチキャストするステップと
を含む、請求項５に記載の方法。
【請求項７】
第１の移動機において、所定の時間周期の第１の部分の間に少なくとも１つの基地局によって伝送される第１のメッセージを受信するステップであって、前記第１のメッセージが、前記第１の移動機がウェイクアップして前記少なくとも１つの基地局から第２のメッセージを受信しようと試みるべきである前記所定の時間周期の第２の部分を示す情報を含み、前記所定の時間周期の前記第２の部分もまた、前記所定の時間周期の少なくとも１つの第３の部分の間に少なくとも１つの第２の移動機に伝送される第３のメッセージの中で示され、前記第３のメッセージが、前記少なくとも１つの第２の移動機が前記所定の時間周期の前記第２の部分の間にウェイクアップして前記第２のメッセージを受信しようと試みるべきであることを示す情報を含み、前記所定の時間周期の前記第３の部分は前記第１の部分とは異なるステップ
を含む、方法。
【請求項８】
前記第１のメッセージを受信するステップが、前記第１の移動機および少なくとも１つの第２の移動機と関連するウェイクアップ・サイクルの第１の制御サイクルの一部分の間に前記第１のメッセージを受信するステップを含み、前記第１のメッセージが、前記第１の移動機が前記第１の制御サイクルに続く前記ウェイクアップ・サイクルの中の前記制御サイクルに対してウェイクアップすべきであることを示す情報、または前記第１の移動機が前記ウェイクアップ・サイクルの少なくとも１つの第２の制御サイクルの間ウェイクアップすべきであることを示す情報を含む、請求項７に記載の方法。
【請求項９】
前記所定の時間周期の前記第２の部分の間に前記第１の移動機をウェイクアップするステップと、
前記所定の時間周期の前記第２の部分の間に前記第１の移動機および前記少なくとも１つの第２の移動機にマルチキャストされる少なくとも１つのメッセージを受信するステップと
を含む、請求項７に記載の方法。
【請求項１０】
前記少なくとも１つのマルチキャスト・メッセージを受信するステップが、前記第１の移動機および前記少なくとも１つの第２の移動機を含むグループと関連する識別子であって、前記少なくとも１つのマルチキャスト・メッセージに含まれる識別子に基づいて前記少なくとも１つのマルチキャスト・メッセージを識別するステップを含み、前記少なくとも１つのマルチキャスト・メッセージと関連するフロー識別子にマップされた前記識別子であって、前記グループと関連する前記識別子を示す情報を受信するステップを含む、請求項９に記載の方法。
【発明の詳細な説明】
【技術分野】
【０００１】
関連出願
本出願は、２００７年３月２２日に出願された、仮出願第６０／９１９，４０３号に基づく優先権を主張し、その明細書全体、特許請求の範囲、および図面が、それぞれ断りなく参照により本明細書に組み込まれる。
【０００２】
本発明は、概して通信システムに関し、より詳細には無線通信システムに関する。
【背景技術】
【０００３】
従来の無線通信システムは一般に、対応する複数の地理的領域またはセルに無線接続性を与える複数の基地局（例えばノードＢ）を含んでいる。基地局によってサービスされるエリア内の移動機は、基地局の１つと無線通信リンクを確立することによってシステムにアクセスすることができる。一般に各移動機は、移動機が訪れるセルに無線接続性を与える一連の基地局と通信することによって、エリアを通過するときシステムとの通信を維持する。移動機は、最も近い基地局、最も強い信号を有する基地局、通信の受諾に十分な容量を有する基地局、または様々なハンドオフの規定により選択された基地局の何らかの組合せと通信することができる。移動機と基地局との通信は無線であり、エアインタフェースを通じて行われるものとして言及される場合が多い。
【０００４】
移動機と基地局との通信は、音声および／または高速データを含むことがある。Ｅｖｏｌｕｔｉｏｎ−Ｄａｔａ  Ｏｐｔｉｍｉｚｅｄ（高速データ通信の最適化、ＥＶＤＯ  Ｒｅｖ．Ａ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  （ユニバーサル移動体通信システム、ＵＭＴＳ）、Ｈｉｇｈ−Ｓｐｅｅｄ  Ｄｏｗｎｌｉｎｋ  Ｐａｃｋｅｔ  Ａｃｃｅｓｓ  （高速ダウンリンク・パケット・アクセス、ＨＳＤＰＡ）、Ｅ−ＤＣＨおよびＥｖｏｌｕｔｉｏｎ  Ｄａｔａ  ａｎｄ  Ｖｏｉｃｅ  （高速データおよび音声、ＥＶＤＶ）のような、高速無線データシステムがエアインタフェース・チャネルのデータレートを著しく向上させ、高速チャネルを必要とする様々なパケット・データ・サービスに対応してきた。さらに、エアインタフェースを通じたブロードキャストまたはマルチキャストのために連続的に流れるデータフローのような、大量データの伝送を必要とするアプリケーションに効率的に対応するために、複数の規格が定義されている。しかしながら、既存のすべての３Ｇエアインタフェース規格には、ユーザのグループ（アクティブ状態またはアイドル状態）へショート・メッセージまたはデータの情報を高速かつ柔軟に伝送するための対応がない。現在の規格は、データフローおよびストリーミングのアプリケーションの処理方法を指定しているにすぎない。既存のセルラ無線規格には、メッセージ単位のマルチキャスト機能がない。その代わりとしてショート・メッセージは、ユニキャスト方法を用いて個々のユーザに送信される。このプロセスは、ユーザの位置を特定すること、トラフィック・チャネルをセットアップすること、およびユニキャスト・メッセージを使用して各トラフィック・チャネルを通じてメッセージを送信することを含む。ユニキャストのプロセスによって同じショート・メッセージを複数のユーザに送信すると遅延が拡大し、またエアインタフェースおよびシステム・リソースを非効率的に使用することになる。
【０００５】
ユーザの位置を特定した後に、これらのユーザにユニキャスト・メッセージを伝送する技術の一例は、アイドル状態の移動機のクイック・ページングとして知られている。クイック・ページングでは、各アイドル状態の移動機が、ページングまたはウェイクアップ・サイクルの所定部分の間に周期的にウェイクアップする。アイドル状態の移動機がウェイクアップ・サイクルの所定部分の間にウェイクアップすると、この移動機はウェイクアップ・サイクルの後続部分の間にこの移動機に向けてページング・メッセージがユニキャストされることを示すクイック・ページング・メッセージを検出しようと試みる。異なる移動機はウェイクアップ・サイクルの異なる部分に割り当てられ、異なる移動機が異なる移動機に向けられたページング・メッセージを間違って検出しないようにする。例えば異なる移動機は、ウェイクアップ・サイクル内で異なるオフセットを割り当てられることが可能である。このように異なる移動機に向けられたクイック・ページング・メッセージおよびユニキャスト・ページング・メッセージは、異なる移動機に割り当てられたウェイクアップ・サイクルの異なる部分にこれらを送信することによって、識別されることが可能である。
【０００６】
図１は、ウェイクアップ・サイクル１１０を形成する連続的な制御サイクル１０５の従来の時間シーケンス１００を示している。図１の各ウェイクアップ・サイクル１１０は１２個の制御サイクル１０５を含み、各制御サイクル１０５は２５６個のスロットを備えている。あるアイドル状態の移動機は、各ウェイクアップ・サイクル１１０の第１の制御サイクル１０５（「１」と表示する）の間にウェイクアップし、基地局によって送信されたクイック・ページをデコードしようと試みることができる。このアイドル状態の移動機が、この移動機にユニキャスト・ページング・メッセージが送信されようとしていることを示すクイック・ページを検出する場合、この移動機は後続の制御サイクル１０５（「２」と表示する）に対してアウェイク状態でいて、ユニキャスト・ページング・メッセージをデコードしようと試みることができる。他のアイドル状態の移動機は他の制御サイクル１０５を割り当てられることが可能であり、したがってこれらの制御サイクル１０５を監視してこれらの移動機に向けられたクイック・ページを検出することができる。例えば別のアイドル状態の移動機は、各ウェイクアップ・サイクル１１０の第６の制御サイクル１０５（「６」と表示する）の間にウェイクアップし、基地局によって送信されたクイック・ページをデコードしようと試みることができる。このアイドル状態の移動機が、この移動機にユニキャスト・ページング・メッセージが送信されようとしていることを示すクイック・ページを検出する場合、この移動機は後続の制御サイクル１０５（「７」と表示する）に対してアウェイク状態でいて、ユニキャスト・ページング・メッセージをデコードしようと試みることができる。
【先行技術文献】
【特許文献】
【０００７】
【特許文献１】仮出願第６０／９１９，４０３号
【発明の概要】
【課題を解決するための手段】
【０００８】
本発明は、上述した問題の１つまたは複数の影響に取り組むことを目的とする。以下は、本発明のいくつかの態様の基本的な理解を得られるように、本発明の平易な要約を示すものである。この要約は、本発明の包括的な概要ではない。本発明の主要な要素もしくは決定的な要素を断定すること、または本発明の範囲を明確に示すことを目的とするものではない。その唯一の目的は、後に述べるより詳細な説明への前置きとして、いくつかの概念を平易な形で示すことである。
【０００９】
本発明の一実施形態では、グループ・ページング・メッセージを提供する方法を提供する。この方法の一実施形態は、所定の時間周期の第１の部分の間に第１のメッセージを提供することを含む。第１のメッセージは、少なくとも１つのアイドル状態の第１の移動機がウェイクアップして（１つまたは複数の）基地局から第２のメッセージを受信しようと試みるべきである所定の時間周期の第２の部分を示す情報を含んでいる。この方法のこの実施形態はまた、所定の時間周期の第３の部分の間に第３のメッセージを提供することを含む。第３のメッセージは、少なくとも１つのアイドル状態の第２の移動機がウェイクアップして第２のメッセージを受信しようと試みるべきである所定の時間周期の第２の部分を示す情報を含んでいる。所定の時間周期の第３の部分は、第１の部分とは異なる。
【００１０】
同じ参照符号が同じ要素を示す添付の図面と併せて行う次の説明を参照して、本発明を理解することができる。
【図面の簡単な説明】
【００１１】
【図１】ウェイクアップ・サイクルを形成する連続的な制御サイクルの従来の時間シーケンスを示す図である。
【図２】本発明に従ってブロードキャストおよびマルチキャストのショート・メッセージングのためのエンドツーエンドのネットワーク・ソリューションを実施する無線通信システムの１つの例示的実施形態を概念的に示す図である。
【図３】本発明に従ってウェイクアップ・サイクルを形成する連続的な制御サイクルの時間シーケンスの第１の例示的実施形態を概念的に示す図である。
【図４】本発明に従ってウェイクアップ・サイクルを形成する連続的な制御サイクルの時間シーケンスの第２の例示的実施形態を概念的に示す図である。
【発明を実施するための形態】
【００１２】
本発明は、様々な修正および代替形態が可能であるが、そのうちの特定の実施形態を図面に例として示し、本明細書で詳細を説明する。しかしながら、特定の実施形態についての本明細書の説明は、本発明を開示した特定の形態に限定しようとするものではなく、むしろ特許請求の範囲で定義される本発明の範囲内にあるあらゆる修正物、均等物、および代替物を包含しようとするものであることを理解されたい。
【００１３】
本発明の実例となる実施形態について以下に説明する。明瞭にするために、本明細書では実際の実施の特徴をすべて述べているわけではない。このような実際の実施形態の開発においては、開発者の特定の目標を達成するために、システム関連の制約およびビジネス関連の制約に従うなど、実施によって異なる数多くの実施時特有の決定をすべきであるということが当然理解される。さらに、このような開発努力は複雑で時間のかかるものであるが、しかしながらこの開示の利益を有する当業者には定常的な取り組みであるということが理解される。
【００１４】
本発明および対応する詳細な説明の一部は、ソフトウェア、あるいはコンピュータのメモリ内のデータビットで動作するアルゴリズムおよび記号表現に関して示されている。これらの説明および表示は、当業者が自身の作業の内容を他の当業者に効果的に伝えるためのものである。本明細書で使用され、また一般に使用されるアルゴリズムは、所望の結果につながるステップの首尾一貫したシーケンスであると考える。諸ステップは、物理量の物理的操作を必要とするものである。必ずしもそうではないが、通常これらの量は、格納、転送、結合、比較、およびその他の操作が可能である光信号、電気信号、または磁気信号の形態をとる。主として一般的な用法という理由により、これらの信号をビット、値、要素、符号、文字、項、数字などと呼ぶことが、場合によっては好都合であることがわかっている。
【００１５】
しかしながら、これらの用語および同様の用語のすべては、適切な物理量と関連付けられなければならず、これらの量につけられた便宜的表示にすぎないということを、心に留めるべきである。特に別段の指定がなければ、記述から明らかなように、「処理」または「演算」または「計算」または「決定」または「表示」などの用語は、コンピュータシステムまたは同様の電子計算装置の動作およびプロセスのことを指し、このコンピュータシステムとは、コンピュータシステムのレジスタおよびメモリ内の物理量、電子量として表されるデータを操作して、コンピュータシステムのメモリもしくはレジスタまたはこのような他の情報記憶装置、転送装置、もしくは表示装置内の物理量として同様に表される他のデータに変換するものである。
【００１６】
また、本発明のソフトウェア実施態様は、典型的に何らかの形態のプログラム記憶媒体上に符号化される、または何らかの形態の伝送媒体を通じて実施されることにも注意する。プログラム記憶媒体は、磁気的（例えばフロッピー（登録商標）ディスク、もしくはハードドライブ）または光学的（例えばコンパクトディスクのリードオンリーメモリすなわち「ＣＤ  ＲＯＭ」）とすることができ、またリードオンリーもしくはランダムアクセスとすることができる。同様に、伝送媒体は、ツイストペア線、同軸ケーブル、光ファイバー、または当技術に知られるその他の好適な伝送媒体とすることができる。本発明は、いかなる所与の実施のこれらの態様にも限定されない。
【００１７】
次に、添付の図を参照して本発明を説明する。単に説明の目的のために、また当業者には周知の詳細で本発明をわかりにくくしないように、図面では様々な構造、システム、および装置を概略的に示している。しかしながら、本発明の説明的実施例を記載して説明するために、添付の図面が含まれている。本明細書で使用する語および語句は、当業者によるこれらの語および語句の理解と一致する意味を有するものと理解され、解釈されたい。用語または語句の特別な定義、すなわち当業者によって理解される通常の従来通りの意味とは異なる定義は、本明細書でのこの用語または語句の一貫した使用に包含しないものとする。用語または語句が特別な意味、すなわち当業者によって理解されるもの以外の意味を有することを意図する範囲については、このような特別な定義を、この用語または語句に特別な定義を直接かつ明白に与える定義方法で、本明細書において明示的に説明する。
【００１８】
図２は、無線通信システム２００の１つの例示的実施形態を概念的に示している。図示した実施形態では、無線通信システム２００は無線アクセスネットワーク（ＲＡＮ）２０５を含み、これを使用して無線接続性を与える。無線アクセスネットワーク２０５は、無線ネットワーク制御装置（ＲＮＣ）２１０と、１つまたは複数の無線基地局（ＢＴＳ）２１５とを含む。無線ネットワーク制御装置２１０は、パケット・データ・サービング・ノード（ＰＤＳＮ）２２０および認証、認可、および課金（ＡＡＡ）サーバ２２５と通信することができる。無線アクセスネットワーク２０５、無線ネットワーク制御装置２１０、基地局２１５、パケット・データ・サービング・ノード２２０、ならびにアクセス、認可、および課金サーバ２２５を実装するおよび／または動作させる技術は当業者に知られており、明瞭にするために、本発明に関連する、これらのエンティティを実装するおよび／または動作させる態様のみを本明細書でさらに説明する。さらに、代替的実施形態においては無線通信システム２００の他の構成を使用して無線接続性を与えることも可能であることは、本開示の利益を有する当業者には明らかであろう。
【００１９】
アクセス端末２３０（１〜ｎ）は、無線アクセスネットワーク２０５または図２に示す他のアクセスネットワークとのエアインタフェースを通じて、無線通信システム２００にアクセスすることができる。添え字（１〜ｎ）を使用して、個々のアクセス端末２３０（１〜ｎ）またはアクセス端末２３０（１〜ｎ）のサブセットを示すことが可能である。しかしながら、集合的にアクセス端末２３０に言及するときは、添え字を省略する場合がある。このきまりは、図面に示される、数字および１つまたは複数の識別添え字によって表される他の要素に適用される場合がある。アクセス端末２３０は、移動機、移動局、加入者局などと呼ばれることもある。例示的なアクセス端末２３０には、携帯電話、携帯情報端末、スマートフォン、ショート・メッセージ装置、ページング装置、ネットワーク・インタフェース・カード、ノートブック型コンピュータ、デスクトップ型コンピュータが含まれる。
【００２０】
アクセス端末２３０のユーザは、１つまたは複数のブロードキャストまたはマルチキャストのメッセージング・サービスに加入している場合がある。本明細書で使用する「メッセージ」という用語は、例えば所定のバイト数など所定のサイズの情報を指すように使用し、メッセージは、選択されたパケット数で伝送される。したがってメッセージは、所定の始まりと終わりを有する。対照的に従来のストリーミングまたはデータフローは、一般に所定のサイズがなく、流される情報は、比較的長い期間にわたってほぼ連続的に伝送される。さらにメッセージは、システム情報を伝送するために使用されるシグナリング・チャネルを通じて伝送されることがあり、ストリーミングまたはデータフローはトラフィック・チャネルを通じてのみ伝送される。図示した実施形態では、アクセス端末２３０（１、３、ｎ）はグループＡのメンバであり、第１のマルチキャスト・コンテンツ提供業者２３５によって提供されるマルチキャスト・サービスに加入している。アクセス端末２３０（２、５）はグループＢのメンバであり、第２のマルチキャスト・コンテンツ提供業者２４０によって提供される異なるマルチキャスト・サービスに加入している。アクセス端末２３０（４）はマルチキャスト・サービスに加入していない。アクセス端末２３０はページングされ、加入するメッセージング・サービスと関連するメッセージを受信するためにウェイクアップするように命令されることが可能である。アクセス端末２３０の１つのユーザは、複数のユニキャスト・サービスおよび／またはブロードキャスト・サービスに加入している（またはこれらのサービスを停止している）場合があるため、各メッセージング・サービスと関連するアクセス端末２３０のグループは、同じスロットでウェイクアップして関連メッセージを受信するように事前設定することができない。その代わりに、以下に説明するようにマルチキャスト・アプリケーションによって動的に作動されるグループ・ウェイクアップを実施することができる。
【００２１】
様々なマルチキャスト・サービスに加入しているアクセス端末２３０と関連する情報は、加入者プロファイルのデータベース２４５の中に格納することができる。データベース２４５の中の情報は、マルチキャスト・サービスへのアクセスを制御する、加入者を認証する、および／または加入者によるマルチキャスト・サービスの使用に対する課金を支援するために、ＡＡＡ２２５によって使用されることが可能である。一実施形態では加入者プロファイルのデータベース２４５は、無線通信システム２００によって提供されるマルチキャスト・サービスの１つまたは複数に加入しているすべてのアクセス端末２３０と関連するユーザ・プロファイルを含んでいる。ユーザ・プロファイルは、加入アクセス端末のそれぞれと関連するマルチキャストのデータフローを示す識別子を含むことができる。例えば第１の識別子は、アクセス端末２３０（１、３、ｎ）用のプロファイル・エントリに含まれて、これらの端末がマルチキャスト・コンテンツ提供業者２３５によって提供されるマルチキャスト・データフローに加入していることを示すことができる。このデータフローは、太字の点線で表している。第２の識別子は、アクセス端末２３０（２、５）用のプロファイル・エントリに含まれて、これらの端末がマルチキャスト・コンテンツ提供業者２４０によって提供されるマルチキャスト・データフローに加入していることを示すことができる。このデータフローは、太字の実線で表されている。
【００２２】
無線アクセスネットワーク２０５は、コンテンツ提供業者２３５、２４０によって提供されるマルチキャスト情報を受信するために使用され、この情報を適切なアクセス端末２３０に提供するのに役立つ可能性のある強化されたインタフェース２５０を含んでいる。一実施形態では、強化されたインタフェース２５０（または無線アクセスネットワーク２０５の他の何らかの機能）は、無線アクセスネットワーク２０５と関連するマルチキャスト・コンテンツのフローのそれぞれと関連する識別子を作成してこれを保持する。例えば識別子は、マルチキャスト・アクセス端末識別子（ＭＡＴＩ）と呼ぶことができる。無線アクセスネットワーク２０５は、異なるデータフローと関連するフロー識別子を異なるマルチキャスト・アクセス端末識別子にマップし、その後このマルチキャスト・アクセス端末識別子を適切なアクセス端末２３０に提供することができる。例えば無線アクセスネットワーク２０５は、コンテンツ提供業者２３５によってアクセス端末２３０（１、３、ｎ）に提供されるデータフローと関連する第１のマルチキャスト・アクセス端末識別子を提供する。また無線アクセスネットワーク２０５は、コンテンツ提供業者２４０によってアクセス端末２３０（２、５）に提供されるデータフローと関連する第２のマルチキャスト・アクセス端末識別子を提供することができる。マルチキャスト・アクセス端末識別子は、その後異なるデータフローと関連するパケットのヘッダに配置され、アクセス端末２３０によって使用されてアクセス端末が加入するマルチキャスト・サービスの一部であるパケットを識別することが可能である。
【００２３】
図示した実施形態では、無線通信システム２００はまた、様々なコンテンツ提供業者２３５、２４０の動作を調整するために使用されることが可能であるマルチキャスト・コンテンツ・サーバ２５５を含んでいる。例えばコンテンツ提供業者２３５、２４０の１つまたは複数は、マルチキャスト・データ（またはマルチキャスト・データが送信可能であることの表示）をマルチキャスト・コンテンツ・サーバ２５５に提供することができ、その後マルチキャスト・コンテンツ・サーバ２５５が、このコンテンツを配信するための要求を無線アクセスネットワーク２０５に提供することができる。無線アクセスネットワーク２０５がこの要求を承諾する場合、マルチキャスト・コンテンツ・サーバ２５５はコンテンツ提供業者２３５、２４０によって提供されるコンテンツおよびこのマルチキャスト・データフローと関連するフロー識別子を配信する。次に無線アクセスネットワーク２０５が、フロー識別子を適切なマルチキャスト・アクセス端末識別子にマップすることができ、これをマルチキャスト・コンテンツの各パケットの媒体アクセス制御（ＭＡＣ）ヘッダに付加することができる。また無線アクセスネットワーク２０５は、ブロードキャスト制御チャネルおよび関連するチャネル・リソース用の専用ＭＡＣ−ＩＤをマルチキャスト・パケットに割り当てることもできる。
【００２４】
マルチキャスト・コンテンツ提供業者２３５、２４０によって提供されるショート・メッセージは、ＥＶＤＯで使用されるデータ・オーバー・シグナリング（Ｄａｔａ−Ｏｖｅｒ−Ｓｉｇｎａｌｉｎｇ）・メッセージング・タイプと同様の、特に定義されたマルチキャストのショート・メッセージング・タイプと関連付けることができる。データ・メッセージングに対して１つのマルチキャスト・データのメッセージ・タイプを定義することができ、アクセス端末２３０のあるグループ用のシグナリングおよび／または設定メッセージに対して別のマルチキャスト・シグナリングのメッセージ・タイプを定義することができる。マルチキャストのシグナリングおよび／または設定メッセージは、コンテンツ提供業者２３５、２４０内のアプリケーションによって生成されることが可能であり、あるいは無線アクセスネットワーク２０５で生成されることが可能である。無線アクセスネットワーク２０５は、コンテンツ提供業者２３５、２４０によって提供されるデータ・コンテンツを適切なデータのメッセージ・タイプと関連付けることができ、コンテンツ提供業者２３５、２４０によって提供されるシグナリング・コンテンツは、適切なシグナリング・タイプと関連付けられることが可能である。例えばＥＶＤＯ規格により動作するシステムでは、新しいメッセージ・タイプ、例えばマルチキャスト・データ・オーバー・シグナリング（Ｍｕｌｔｉｃａｓｔ−Ｄａｔａ−Ｏｖｅｒ−Ｓｉｇｎａｌｉｎｇ）を追加して、マルチキャストのメッセージングに対応することができる。あるいはＵＭＢ規格により動作するシステムでは、「ストリーム９」のような専用ストリームを追加して、マルチキャストのメッセージングに対応することができる。
【００２５】
無線アクセスネットワーク２０５が、コンテンツ提供業者２３５、２４０と関連する加入者のグループの１つまたは複数の中のアクセス端末２３０への伝送準備が整った情報を有するとき、無線アクセスネットワーク２０５は、適切なアクセス端末２３０へクイック・ページング・メッセージを提供し、これらのアクセス端末に選択された時間の間ウェイクアップしてマルチキャスト伝送を受信するように命令することができる。しかしながら、各グループのアイドル状態のアクセス端末２３０は、クイック・ページング・メッセージを受信するために異なる時間周期を割り当てられることが可能である。したがって無線アクセスネットワーク２０５は、マルチキャスト・コンテンツが加入アクセス端末２３０に伝送される今後の時間周期を示すクイック・ページング・メッセージを提供することができる。したがって加入アクセス端末２３０は、これらのクイック・ページング・メッセージを異なる時間間隔で受信することができ、その後加入アクセス端末２３０のすべてが同じ時間間隔の間にウェイクアップして、マルチキャスト伝送を受信することができる。例えばアクセス端末２３０（１）は第１のタイムスロットの間にクイック・ページング・メッセージを受信することができ、アクセス端末２３０（３）は第２のタイムスロットの間にクイック・ページング・メッセージを受信することができ、アクセス端末２３０（ｎ）は第３のタイムスロットの間にクイック・ページング・メッセージを受信することができる。クイック・ページング・メッセージは、グループＡと関連するマルチキャスト伝送が後続の第４のタイムスロットの間に行われることを示すことができ、そこでアクセス端末２３０（１、３、ｎ）はこの第４のタイムスロットの間にウェイクアップしてこのマルチキャスト伝送を受信することができる。
【００２６】
図３は、２つのアクセス端末と関連する時間シーケンス３００、３０５の第１の例示的実施形態を概念的に示している。図示した実施形態では、時間シーケンス３００、３０５は、複数の制御サイクル３１０（図３ではただ１つを数字で表している）を含み、この制御サイクル３１０は、それぞれが１２個の制御サイクル３１０を含むウェイクアップ・サイクルにグループ分けされている。第１のアクセス端末は、数字「１」で表している第１の制御サイクル３１０でクイック・ページング・メッセージを受信する。クイック・ページング・メッセージは、アクセス端末が現在のウェイクアップ・サイクルの中の後続の制御サイクル３１０のすべてに対してウェイクアップしてアウェイク状態でいるべきであることを示す。例えばクイック・ページング・メッセージは、全体的に１という２値からなる連続をエンコードすることによって形成されるワードを含むことがあり、このワードはアクセス端末が現在のウェイクアップ・サイクルの中の残りの制御サイクル３１０についてウェイクアップすべきであることを示す。こうして第１のアクセス端末は、現在のウェイクアップ・サイクルの制御サイクル２〜１２の間にマルチキャスト伝送を受信することができる。第２のアクセス端末は、数字「６」で表している第６の制御サイクル３１０でクイック・ページング・メッセージを受信する。このクイック・ページング・メッセージは、第２のアクセス端末が現在のウェイクアップ・サイクルの中の後続の制御サイクル３１０のすべてについて、例えば制御サイクル７〜１２について、ウェイクアップしてアウェイク状態でいるべきであることを示す。こうしてこのアクセス端末の両方（ならびにアウェイク状態となったグループの中の他のアクセス端末）に伝送されるグループのマルチキャスト・メッセージは、群３１５で表すように制御サイクル７〜１２の間に受信されることが可能である。
【００２７】
図４は、２つのアクセス端末と関連する時間シーケンス４００、４０５の第２の例示的実施形態を概念的に示している。図示した実施形態では、時間シーケンス４００、４０５は、複数の制御サイクル４１０（図４ではただ１つを数字で表している）を含み、この制御サイクル４１０は、それぞれ１２個の制御サイクル４１０を含むウェイクアップ・サイクルにグループ分けされている。第１のアクセス端末は、第１の制御サイクル４１０でクイック・ページング・メッセージを受信する。このクイック・ページング・メッセージは、アクセス端末が現在のウェイクアップ・サイクルの中の最後の（第１２の）制御サイクル４１０の間にウェイクアップすべきであることを示す。例えば、クイック・ページング・メッセージは全体的に１という２値からなる連続をエンコードすることによって形成されるワードを含むことがあり、このワードはアクセス端末が現在のウェイクアップ・サイクルの中の最後の制御サイクル４１０に対してウェイクアップすべきであることを示す。あるいはクイック・ページング・メッセージは、どの制御サイクル（または制御サイクルの組合せ）がマルチキャスト伝送を含むかを示す情報を含むことができる。第２のアクセス端末は、第６の制御サイクル４１０でクイック・ページング・メッセージを受信する。このクイック・ページング・メッセージは、第２のアクセス端末が現在のウェイクアップ・サイクルの中の最後の制御サイクル４１０でウェイクアップすべきであることを示す。このようにこのアクセス端末の両方（ならびにアウェイク状態となったグループの中の他のアクセス端末）に伝送されるグループのマルチキャスト・メッセージは、最後の制御サイクル４１０の間に受信されることが可能である。
【００２８】
本発明は、本明細書の教示の恩恵を受ける当業者には明白である、異なるが等価な方法で変更して実施することができるため、上記で開示した特定の実施形態は一例にすぎない。さらに、特許請求の範囲に記載する以外に、本明細書に示す構成または設計の詳細に限定するつもりはない。したがって、上記の特定の実施形態を変更または修正することができるのは明らかであり、このようなすべての変形は本発明の範囲内であるとみなす。よって、本明細書で求める保護は、特許請求の範囲に示す通りである。
【図１】
2010522478.tif 000003
【図２】
2010522478.tif 000004
【図３】
2010522478.tif 000005
【図４】
2010522478.tif 000006
【国際調査報告】
2010522478.tif 000007
2010522478.tif 000008
2010522478.tif 000009